(57)【要約】【課題】  取付け位置変更が容易な表示装置を提供する。【解決手段】  データを表示する表示部の裏側に設けられた複数の上部固定部１１を有し、情報処理装置としての電子キャッシュレジスタ１５に立設された取り付けヒンジ６の上部と係合する台座１０と、台座１０の下方に設けられ、ディスプレイワイヤ５のプラグ４を挿抜受容するコネクタ３と、コネクタ３の下方に設けられ、取付けヒンジ６の下部と選択的に係合する複数の下部固定部９と、台座１０、コネクタ３、下部固定部９を外部から隠蔽する複数の外装板１２ａ、１２ｂ、１２ｃと、を備える。【選択図】        図１
2006163048.tif 000002
【特許請求の範囲】
【請求項１】
データを表示する表示部の裏側に設けられた複数の上部固定部を有し、情報処理装置に立設された取り付けヒンジの上部と係合する台座と、
前記台座の下方に設けられ、ディスプレイワイヤのプラグを挿抜受容するコネクタと、
前記コネクタの下方に設けられ、前記取付けヒンジの下部と選択的に係合する複数の下部固定部と、
前記台座、コネクタ、下部固定部を外部から隠蔽する複数の外装板と、
を備えることを特徴とする表示装置。
【請求項２】
前記上部固定部は、左固定位置、中固定位置、及び右固定位置にそれぞれ設けられていることを特徴とする請求項１に記載の表示装置。
【請求項３】
前記下部固定部は、左固定位置、中固定位置、及び右固定位置にそれぞれ設けられていることを特徴とする請求項１に記載の表示装置。
【請求項４】
前記表示部は、左固定位置、中固定位置、及び右固定位置の何れか１箇所の前記台座及び下部固定部と前記取付けヒンジと係合し固定することを特徴とする請求項１に記載の表示装置。
【発明の詳細な説明】
【技術分野】
【０００１】
本発明は、ユニット化された表示装置に係り、特に、情報処理装置への取付作業を向上させる表示装置に関する。
【背景技術】
【０００２】
従来の表示装置は、表示部を外観デザインに調和するように情報処理装置との配置位置が固定されている。表示部の裏面中央に支持部材を固定する中央支持型や、表示部の裏面中央から離れた水平位置に支持部材を固定する片持支持型が存在する。
【０００３】
また、デザイン性を重視するために、表示装置は情報処理装置毎に個別設計され、表示装置の取付け機構も多種多様であった。表示装置の前面カバーを取り外してから、表示装置の裏面カバーと表示装置支持部とを分離するユニット型の表示装置も存在する。
【０００４】
さらに、表示装置は、２つの表示部が回転子回転機構部によって回転し、縦長、及び横長配置にし、回転子スライド機構部によって、各表示部がそれぞれ回転するのに必要な相互間の距離を確保しながら表示部の位置を変更していた（特許文献１参照。）。
【０００５】
【特許文献１】特開２０００−１８４３１１号公報（第００３２段落、図５参照）
【発明の開示】
【発明が解決しようとする課題】
【０００６】
しかしながら、情報処理装置毎に外観デザインを変更している表示装置は、取付け位置が固定されているため、顧客に対応した取付け位置変更をする場合、表示装置の外装カバーを新規に設計するか、取付け位置変更用の部品を追加するなど、構造部品の過不足が発生する虞がある。
【０００７】
また、表示装置の取り付け変更作業においても、表示装置のカバーなどの分離及び組み立て作業が煩雑であり、多くの時間と手間を要するという課題が存在していた。
【０００８】
本発明は、上述した課題に鑑み、取付け位置変更が容易な表示装置を提供することを目的とする。
【課題を解決するための手段】
【０００９】
本発明の一態様は、データを表示する表示部の裏側に設けられた複数の上部固定部を有し、情報処理装置に立設された取り付けヒンジの上部と係合する台座と、台座の下方に設けられ、ディスプレイワイヤのプラグを挿抜受容するコネクタと、コネクタの下方に設けられ、取付けヒンジの下部と選択的に係合する複数の下部固定部と、台座、コネクタ、下部固定部を外部から隠蔽する複数の外装板と、を備える表示装置であることを要旨とする。
【発明の効果】
【００１０】
以上のように、本発明によれば、取付け位置変更が容易な表示装置を提供することができる。
【発明を実施するための最良の形態】
【００１１】
以下、本発明の実施の形態について図示例と共に説明する。図１から図６は実施の形態であって、各図中に同一または類似の符号を付した部分は同一物または相当物を表わし、重複した説明は省略する。
【００１２】
図１は、本発明の実施の形態にかかる表示装置を分解した裏面斜視図である。表示装置１は、データを表示する表示部の裏側に設けられた複数の上部固定部１１を有し、情報処理装置としての電子キャッシュレジスタ１５に立設された取り付けヒンジ６の上部と係合する台座１０と、台座１０の下方に設けられ、ディスプレイワイヤ５のプラグ４を挿抜受容するコネクタ３と、コネクタ３の下方に設けられ、取付けヒンジ６の下部と選択的に係合する複数の下部固定部９と、台座１０、コネクタ３、下部固定部９を外部から隠蔽する複数の外装板１２ａ、１２ｂ、１２ｃと、を備える。
【００１３】
表示装置１は、表示部の裏面下部中央にコネクタ３を設け、コネクタ３の左右に通線ガイド２ａを配置する。この通線ガイド２ａの何れか一方に沿ってディスプレイワイヤ５を収納することができるので、表示装置１の支持位置を左中右に変更しても、ディスプレイワイヤ５の延長距離を最短にすることができるという利点を有する。
【００１４】
また、電子キャッシュレジスタ１５は、略鉛直方向に立設する取り付けヒンジ６と、取り付けヒンジ６から水平方向に離れた位置にプリンタ１４を備え、取付けヒンジ６へ表示装置１を載置し固定する。
【００１５】
例えば、取り付けヒンジ６の頂部に本体固定部８ａを設け、取り付けヒンジ６の底部に本体固定部８ｂを設け、各本体固定部８ａ、８ｂと上部固定部１１及び下部固定部９とをネジのような固定部材で固定し表示装置１を取り付ける。
【００１６】
外装板１２ａの底部は、取り付けヒンジ６の下部を隠蔽する本体外装板１３に収納される。
【００１７】
表示装置１は、上部固定部１１及び下部固定部９を２つのネジによって、電子キャッシュレジスタ１５から着脱可能に固定されている。
【００１８】
また、図下部に示すように、取り付けヒンジ６は、支持部１６を支点としてＸ−Ｙ軸の範囲で前後に揺動するチルト機構であって、取付けヒンジ６に取り付けた表示装置１の表示角度を変更することができる。
【００１９】
図１に示すように、ユニット化された表示装置１の裏面には、取り付け位置がフレキシブルに左中右にそれぞれ変更することができるスリーピース構成の外装板１２ａ、１２ｂ、１２ｃが用意されている。この外装板１２ａ、１２ｂ、１２ｃを相互に入れ替えることで、表示装置１の取付け位置を任意に選択することができる。
【００２０】
例えば、表示装置１は、裏面から観察した場合、フレキシブルに左寄せ、中央、右寄せの位置に２本のネジで固定することができる。２本のネジは、外装板１２ａを表示装置１から外した状態で取り付けヒンジ６側から容易に着脱できる。
【００２１】
外装板１２ａ、１２ｂ、１２ｃは、それぞれ頂部と底部に設けた爪が表示装置１の裏面に設けた穿孔部と嵌合し、外装板の弾性力によりネジを用いずに入れ替えることができる。
【００２２】
したがって、表示装置１は、店舗に設置した電子キャッシュレジスタ１５に搭載された状態から２本のネジを挿抜することで取付け位置の変更が容易であり、店舗での電子キャッシュレジスタ１５の設置環境の変化に応じたフレキシブルな取付け位置変更ができる。
【００２３】
また、表示装置１は、ユニット化されているため、リモートタイプの電子キャッシュレジスタやポイントオブセールスＰＯＳ端末の設計変更にも対応することができ、何れの機種においても取付け位置が変更できる。
【００２４】
図２に示すように、表示装置１は、裏面の左側に外装板１２ｂ、中央に外装板１２ａ、右側に外装板１２ｃを取り付け、中央の外装板１２ａの底部が電車キャッシュレジスタ１５の本体外装板１３に包囲され収納されている。
【００２５】
図中の表示装置１は、中央で支持されているが、中央の外装板１２ａを図中右側の外装板１２ｃの位置に相互に入れ替えることにより、図右のプリンタ１４とのクリアランスを設けて取り付けることができる。
【００２６】
図３は、本発明の実施の形態にかかる表示装置に用いる台座と取り付けヒンジの斜視図である。台座１０は、長手方向に延びる部材に所定の間隔で突設する突設部２１ａ、２１ｂ、２１ｃ、２１ｄと、突設部２１ａ及び突設部２１ｂの間に位置する上部固定部１１、突設部２１ｂ及び突設部２１ｃの間に位置する上部固定部１１、突設部２１ｃ及び突設部２１ｄの間に位置する上部固定部１１、を備える。
【００２７】
上部固定部１１は、それぞれ中央にネジ止部２０を設け、取付けヒンジ６側に設けた本体固定部８ａと係合し、ネジで固定される。
【００２８】
表示装置１を中央支持位置に固定する場合は、取り付けヒンジ６の係合部２３が台座１０の中央に位置する上部固定部１１と係合し、台座受部２２ａが突設部２１ｂと接触し、台座受部２２ｂが突設部２１ｃと接触する。
【００２９】
また、表示装置１を裏面から観察して左支持位置に固定する場合は、取り付けヒンジ６の係合部２３が台座１０の左寄りに位置する上部固定部１１と係合し、台座受部２２ａが突設部２１ａと接触し、台座受部２２ｂが突設部２１ｂと接触する。
【００３０】
さらに、表示装置１を右寄り支持位置に固定する場合は、取り付けヒンジ６の係合部２３が台座１０の右寄りに位置する上部固定部１１と係合し、台座受部２２ａが突設部２１ｃと接触し、台座受部２２ｂが突設部２１ｄと接触する。
【００３１】
ただし、本発明は、表示装置１を左中右の３つの位置に固定する態様に限定するものではなく、台座１０に設ける上部固定部及び突設部の数を増減して取付け位置をよりフレキシブルに選択させることもできる。
【００３２】
図４に示すように、表示装置１は、プリンタ１４、客用表示装置１７を備える電子キャッシュレジスタ１５へ載置されチルト機構により前後に傾斜角度を変更することができる。図示した表示装置１は、本体外装板１３から延在するように中央支持位置に載置されている状態を示している。なお、客用表示装置１７は回転支持され表示部を裏面に向けて配置されている。
【００３３】
図５に示すように、表示装置１は、プリンタ１４、客用表示装置１７を備える電子キャッシュレジスタ１５へ載置されチルト機構により前後に傾斜角度を変更することができる。図示した表示装置１は、本体外装板１３から延在するように中央支持位置に載置されている状態を示している。なお、客用表示装置１７は回転支持され表示部を電子キャッシュレジスタ１５のキーボード側に向けて配置されている。
【００３４】
表示装置１は、裏面の左側に外装板１２ｂ、裏面の中央に外装板１２ａ、裏面の右側に外装板１２ｃを装着している。
【００３５】
図６に示すように、表示装置１は、電子キャッシュレジスタ１５へ載置されチルト機構により前後に傾斜角度を変更することができる。図示した表示装置１は、本体外装板１３から延在するように正面から観察して左支持位置に載置されている状態を示している。
【００３６】
表示装置１は、チルト機構によりＸ−Ｙ軸範囲で傾斜角度を変更することができ、取付け位置も上部固定部と下部固定部を任意に選択することによりＺ軸方向へ変更することができる。図示した表示装置１は、正面から観察した状態で右支持位置に載置され、プリンタ１４と表示装置１の左端辺との距離Ｗのクリアランスを設けることができる。
【００３７】
電子キャッシュレジスタ１４は、プリンタ１４と表示装置１のクリアランスに商品販売促進用に備品置場として利用することもでき、清算業務用に備品置場として活用することもできる。
【００３８】
図１を参照して、本発明の実施の形態にかかる表示装置の着脱工程を説明する。第１のステップは、表示装置１の裏面に装着されている左の外装板１２ｂ、中央の外装板１２ａ、右の外装板１２ｃを撓ませて取り外す。各外装板１２ａ、１２ｂ、１２ｃはモールド樹脂の弾性により表示装置１の穿孔部へ爪を挿入して固定されているので、ドライバ等の工具を必要としない点で有利である。
【００３９】
第２のステップは、ディスプレイワイヤ５の先端部に設けたプラグ４を表示装置１側に設けたコネクタ３から引き抜き、表示装置１を電子キャッシュレジスタ１５の接続から切り離す。
【００４０】
第３のステップは、本体固定部８ａと上部固定部１１をネジ止め固定している着脱ネジをドライバを用いて外し、同様に、本体固定部８ｂと下部固定部９をネジ止め固定している着脱ネジをドライバを用いて外す。
【００４１】
第４のステップは、台座１０の突設部２１ｂ、２１ｃ（図３参照）と台座受部２２ａ、２２ｂ（図３参照）との接触点を支点に表示装置１の下部を手前に引き出し、下部固定部９と本体固定部８ｂとを引き離す。この場合、突設部２１ｂ、２１ｃは上部固定部１１と鋭角の移動空間を有するので下部固定部９は扇状に移動することができる。
【００４２】
第５のステップは、表示装置１を取り付けヒンジ６の斜面に沿って上方へ移動させ、取り付けヒンジ６から離脱させる。
【００４３】
このように、表示装置１を取り付けヒンジ６から取り外してから、電子キャッシュレジスタ１５から離れた場所で表示装置１のメンテナンス作業を行なうことができるので、店頭に設置されたキャッシュレジスタ１５へスペアの表示装置１を付け替えるだけで電子キャッシュレジスタ１５を稼動させることができる。
【００４４】
なお、表示装置１のメンテナンスは、例えば、劣化した液晶パネルの交換やバックライトの交換など、表示装置１の分解及び組み立て作業時間を必要とする処理を対象とする。
【００４５】
また、表示装置１の取り付け作業は、台座１０と取り付けヒンジ６を係合させて、プラグ４をコネクタ３へ挿入固定し、本体固定部８ａと上部固定部１１をネジで固定し、本体固定部８ｂと下部固定部９をネジで固定し、外装板１２ｂ、１２ａ、１２ｃを装着することで、表示装置１を電子キャッシュレジスタ１５へ取り付けることができる。
【００４６】
しかも、表示装置１は、取付け支持位置を任意に選択することができるので、追加の取付け部材を必要としない点で有利である。
【００４７】
このように、本発明の実施の形態では、電子キャッシュレジスタ１５を店頭に設置した状態でも表示装置１の取付け位置を任意に変更することができる。
【００４８】
なお、本発明の実施の形態に記載された、作用及び効果は、本発明から生じる最も好適な作用及び効果を列挙したに過ぎず、本発明による作用及び効果は、本発明の実施の形態に記載されたものに限定されるものではない。
【図面の簡単な説明】
【００４９】
【図１】本発明の実施の形態にかかる表示装置を分解した裏面斜視図。
【図２】本発明の実施の形態にかかる表示装置の裏面斜視図。
【図３】本発明の実施の形態にかかる表示装置に用いる台座の斜視図。
【図４】本発明の実施の形態にかかる表示装置の斜視図。
【図５】本発明の実施の形態にかかる表示装置の裏面斜視図。
【図６】本発明の実施の形態にかかる表示装置の斜視図。
【符号の説明】
【００５０】
１・・・表示装置、３・・・コネクタ、４・・・プラグ、５・・・ディスプレイワイヤ、６・・・取付けヒンジ、８ａ、８ｂ・・・本体固定部、９・・・下部固定部、１０・・・台座、１１・・・上部固定部、１２ａ、１２ｂ、１２ｃ・・・外装板、１３・・・本体外装板、１４・・・プリンタ、１５・・・キャッシュレジスタ
【図１】
2006163048.tif 000003
【図２】
2006163048.tif 000004
【図３】
2006163048.tif 000005
【図４】
2006163048.tif 000006
【図５】
2006163048.tif 000007
【図６】
2006163048.tif 000008